(57)【特許請求の範囲】
【請求項１】
柄の少なくとも一端部に押し込みローラを回転自在に設け、前記ローラの厚さ方向の少なくとも一方に該ローラの全周に亘って径方向に突出する凸部を形成し、該凸部の外周全域に亘り所定ピッチで歯を形成したことを特徴とする網戸用網張具。
【請求項２】
凸部の厚さを網の目より小寸とし、歯のピッチを網の目に対応するピッチとした請求項１に記載の網戸用網張具。
【請求項３】
押し込みローラを着脱可能かつ回転自在に設けた請求項１又は２に記載の網戸用網張具。
【発明の詳細な説明】
【０００１】
【発明の属する技術分野】
本発明は、網戸枠の嵌合溝に網押さえチューブを網とともに押し込む作業に用いる網戸用網張具に関する。
【０００２】
【従来の技術】
従来、網戸の網の張り替え作業は、網戸の枠上に該網戸枠より若干大きく裁断した網を載せ、網戸枠に設けた嵌合溝に網押さえチューブを網とともに押し込んで網を網戸枠に固定することによりを行っている。この網の張り替え作業で、網押さえチューブを網戸枠の嵌合溝に押し込むのに用いられる網戸用網張具としては、図１０〜図１１に示すようなものがある。この網張具２０は、柄２１の一端側に押し込みローラ２２を回転自在に取り付けたもので、押し込みローラ２２は、ローラ２２の厚さ方向の一方にローラ２２の全周に亘って径方向に突出する凸部２３が形成されている。ローラ２２に凸部２３を形成することにより、網押さえチューブがローラ２２から外れるのを防止して、嵌合溝への押し込み作業を容易に行えるようにしている。
【０００３】
【発明が解決しようとする課題】
ところで、この従来の網張具２０における押し込みローラ２２に形成した凸部２３の外周面は滑らかなため、網押さえチューブの嵌合溝への押し込み作業に際して、ローラ２２が網上をスリップして作業に支障をきたすおそれがあった。また、この凸部２３は厚みが薄く、網の横糸を引っ張るため、強く押し込んだ際には、横糸を切断してしまうおそれがあった。
そこで、本発明は、ローラが滑って網押さえチューブの押し込み作業に支障をきたすおそれがなく、また横糸を切断するおそれもないようにした網戸用網張具を提供することを目的とする。
【０００４】
【課題を解決するための手段】
上記課題を解決するために、本発明による網戸用網張具は、柄の少なくとも一端部に押し込みローラを回転自在に設け、前記ローラの厚さ方向の少なくとも一方に該ローラの全周に亘って径方向に突出する凸部を形成し、該凸部の外周全域に亘り所定ピッチで歯を形成したこと、を特徴としている。
ここで、凸部の厚さを網の目より小寸とし、歯のピッチを網の目に対応するピッチとするとよい。また、押し込みローラを着脱可能かつ回転自在に設けるようにしてもよい。
【０００５】
【発明の実施の形態】
以下本発明の実施の形態を図面に基づいて具体的に説明する。図１は本発明の実施例による網戸用網張具の正面図、図２は図１の左側面図、図３は網戸用網張具の使用状態を示す斜視図、図４は図３のIV−IV要部拡大断面図、図５は押し込み完了状態での図４相当の断面図、図６は他の実施例による網戸用網張具の分解正面図、図７は図６に示した押し込みローラの一部断面側面図、図８は押し込みローラの変形例を示す図２相当の左側面図、図９は押し込みローラの他の変形例を示す図２相当の左側面図である。
【０００６】
実施例による網戸用網張具１は、把持部となる板状の柄２と、その一端側（図１において左側）をやや下方に屈曲させた先端部３に回転自在に取り付けた円盤状の押し込みローラ４からなる。押し込みローラ４は柄２の屈曲した先端部３に設けたスリット５に軸６により回転自在に取付けられている。
【０００７】
押し込みローラ４は、その厚さ方向の一方（図２において左方）に、該ローラ４の全周に亘って径方向に突出する凸部７を形成してあり、その凸部７の外周全域に亘り所定ピッチの歯８を形成してある。歯８のピッチは、網戸用の網９の網目のピッチに略対応させて形成してある。また、凸部７の厚さＤ1 は網の目の寸法Ａより小寸としてある。なお、歯８の形状としては、滑らかな山形と谷形の連続する形状とするのが好ましい。網戸用の網９は、一般には、２．５４ｃｍの間に縦糸１０と横糸１１とがそれぞれ１８本織り込まれており、凸部７に形成する歯８のピッチもそれに対応させ、２．５４ｃｍの間に１８歯となるように歯８を形成してある。
【０００８】
押し込みローラ４の厚さＤ2 は網戸枠１２の嵌合溝１３の幅Ｌより小寸とし、該ローラ４の外周部が嵌合溝１３内に入り込めるようにしてある。なお、嵌合溝１３の幅Ｌや網押さえチューブ１４の外径にも大小のものがあるため、それに合わせて厚さＤ2 の異なるローラを柄２の他端側に回転自在に設けるようにしてもよい。或いは、軸６とローラ本体とを一体に形成した（図７）、厚さＤ2 の異なる複数のローラ４を用意し、図６に示すように先端部３に軸通路１７と軸受孔１８とを形成し、該軸通路１７と軸受孔１８を介して、柄２の先端部３にローラ４を着脱可能かつ回転自在に設けるようにしてもよい。
【０００９】
図１及び図２に示した網戸用網張具１における押し込みローラ部４の寸法を例示すると、ローラ基部４ａの直径３６ｍｍ、凸部７の外径３９ｍｍ、ローラ部４の厚さ（Ｄ2 ）４ｍｍ、凸部７の厚さ（Ｄ1 ）０．８ｍｍ、凸部７に形成する歯８のピッチは、上記の通りの２．５４ｃｍ間に１８歯となるピッチである。なお、これらの数値は例示であって、嵌合溝１３の幅Ｌ、網の目の寸法Ａ等に対応させて適宜変更可能である。
【００１０】
柄２の他端側には三角形状の押し込み片１５を設けてある。この押し込み片１５は嵌合溝１３の角部１３ａに網押さえチューブ１４を押し込む際等に用いる。柄２の下部には、手で握った際の握りを良くするためにゆるやかな凹凸１６を設けてある。図２では、凸部７をローラ４の厚さ方向の一方だけに形成したものを示したが、図８に示すようにローラ４外周面を凹状として、凸部７，７をローラ４の厚さ方向の両側に形成してもよく、図９に示すようにローラ４外周面をＵ字状に形成して、ローラ４の厚さ方向の両側に凸部７，７を形成してもよい。
【００１１】
次に、本発明による網戸用網張具１を用いた網戸の網の張り替え作業を説明する。先ず、網押さえチューブを嵌合溝から外し、古い網を取り除き、嵌合溝１３をブラシ等で掃除する。次に、新しい網９を網戸枠１２より少し大きめに裁断し、網目と網戸枠１２とが平行になるように網戸枠１２上に網９を展延して、クリップ等により仮止めする。
次いで、嵌合溝１３に沿う網９上に網押さえチューブ１４をのせ、網張具１の押し込みローラ４で網押さえチューブ１４を嵌合溝１３内に押し込み、押し込みローラ４を回転させながら前進して、網押さえチューブ１４とともに網９を嵌合溝１３内に圧入していく。このとき、網目と嵌合溝１３との平行が保たれるように注意し、ローラ４の凸部７に形成した歯８の山部を網目の間を通過させながら、押し込みローラ４を回転させていく。
なお、嵌合溝１３の角部１３ａでは、柄２の他端側の押し込み片１５を用いて網押さえチューブ１４を角部１３ａに押し込む。こうして、嵌合溝１３の全周に亘って網押さえチューブ１４を押し込み、最後に余分の網９をカッターナイフ等で切り取れば作業が終了する。
【００１２】
上記作業において、押し込みローラ４の凸部７の全周に亘って所定ピッチの歯８が形成されているので、スリップすることなくローラ４の回転がスムースに行われる。また、歯８の山部が網目内に潜るため、網９の横糸１１にかかる張力が和らげられる。一方、凸部７に歯８を形成していない従来の押し込みローラ２２では、網の横糸１１が凸部２３で強く引っ張られるため（図１２）、横糸切れを起こすおそれがある。
【００１３】
【発明の効果】
以上説明したように、本発明による網戸用網張具によれば、押し込みローラに形成した凸部の外周全域に亘り所定ピッチで歯を形成したので、押し込みローラの凸部外周面でスリップすることなくローラの回転が円滑に行われ、網押さえチューブの押し込み作業に支障をきたすおそれがない。
また、凸部の厚さを網の目より小寸とし、歯のピッチを網目に略対応するピッチとすれば、網張り作業に際して、歯の山部を網の目内に潜らせながら押し込みローラを回転させることができるため、網の横糸に過大な張力がかからず、網の生地を傷めることなく網張り作業を行うことができる。
【図面の簡単な説明】
【図１】本発明の実施例による網戸用網張具の正面図。
【図２】図１の左側面図。
【図３】網戸用網張具の使用状態を示す斜視図。
【図４】図３のIV−IV要部拡大断面図。
【図５】押し込み完了状態での図４相当の断面図。
【図６】他の実施例による網戸用網張具の分解正面図。
【図７】図６に示した押し込みローラの一部断面側面図。
【図８】押し込みローラの変形例を示す図２相当の左側面図。
【図９】押し込みローラの他の変形例を示す図２相当の左側面図。
【図１０】従来例による網戸用網張具の正面図。
【図１１】図１０の左側面図。
【図１２】従来例による押し込みローラを用いた場合の図４相当の断面図。
【符号の説明】
１  網戸用網張具
２  柄
３  先端部
４  押し込みローラ
４ａ  ローラ基部
５  スリット
６  軸
７  凸部
８  歯
９  網
１０  縦糸
１１  横糸
１２  網戸枠
１３  嵌合溝
１３ａ  角部
１４  網押さえチューブ
１５  押し込み片
１６  凹凸
１７  軸通路
１８  軸受孔
Ｄ1   凸部の厚さ
【図１】
0003729779.tif 000002
【図２】
0003729779.tif 000003
【図３】
0003729779.tif 000004
【図４】
0003729779.tif 000005
【図５】
0003729779.tif 000006
【図６】
0003729779.tif 000007
【図７】
0003729779.tif 000008
【図８】
0003729779.tif 000009
【図９】
0003729779.tif 000010
【図１０】
0003729779.tif 000011
【図１１】
0003729779.tif 000012
【図１２】
0003729779.tif 000013